(57)【要約】      （修正有）【課題】多方向から電線を速やかに挿入及び挟持固定できる電線クリップ式接続箱構造を提供する。【解決手段】クリップ式接続箱はケージング１を包含し、ケージング内部に少なくとも一つの導電挟持枠を設け、ケージング上には、異なる挿入方向の第一挿入口１１及び第二挿入口１２を設け、導電挟持枠は、第一挿入口に向かう第一挟持口と、第二挿入口に向かう第二挟持口と、を設けている。電線６を第一挿入口と第二挿入口のいずれか、或いはそれぞれに挿入することができ、電子或いは電機システム設備の狭い空間内に多様な電線挿入方向の選択を提供することができる。導電挟持枠は、弾性挟持方法にて電線を固定するものであって、導電挟持枠の第一挿入口と第二挿入口から速やかに電線を固定及び抜去することができ、ドライバー等の工具を使用してネジを回転させる必要がなく、操作を簡易に迅速に行え、従来の接線方法を改良したものである。【選択図】図１
0003203970.tif 000002
【実用新案登録請求の範囲】
【請求項１】
ケージングと、前記ケージング内部に設ける少なくとも一つの導電挟持枠と、前記ケージング上に異なる挿入方向の第一挿入口及び第二挿入口と、を包含し、前記導電挟持枠は、前記第一挿入口に向かう第一挟持口と、前記第二挿入口に向かう第二挟持口と、を設けることを特徴とするクリップ式接続箱構造。
【請求項２】
前記ケージングは、その内部に前記導電挟持枠を収容し、且つ前記第一挿入口と、前記第二挿入口と、を連通する収容空間を設け、前記導電挟持枠は、電接端子及び弾性プレート包含し、前記電接端子は、前記第一挿入口に向かって延伸する第一導電部と、前記第二挿入口に向かって延伸する第二導電部と、をそれぞれ設けることを特徴とする請求項１に記載のクリップ式接続箱構造。
【請求項３】
前記弾性プレートは、前記第一導電部と、前記第二導電部と、の間に位置し、前記第一挿入口に対応し且つ前記第一導電部を弾性当接する第一挟持部と、前記第二挿入口に対応し且つ前記第二導電部を弾性当接する第二挟持部と、を兼ね備え、前記第一挟持口は、前記第一挟持部と、前記第一導電部と、の間に形成し、前記第二挟持口は、前記第二挟持部と、前記第二導電部と、の間に形成することを特徴とする請求項２に記載のクリップ式接続箱構造。
【請求項４】
前記第一挿入口及び前記第二挿入口の少なくとも一方は、その側に、前記弾性プレートにある第一挟持部及び第二挟持部に向かう少なくとも一つの通孔を設けることを特徴とする請求項３に記載のクリップ式接続箱構造。
【請求項５】
前記第一挟持部は、前記第一挿入口から前記第一導電部に延伸し、前記第二挟持部は、前記第二挿入口から前記第二導電部に延伸することを特徴とする請求項３に記載のクリップ式接続箱構造。
【請求項６】
前記ケージングは、その内部に、前記弾性プレートを挟持固定できる弾性プレート係止部を設け、前記弾性プレート係止部は、前記第一挟持部と前記第二挟持部とが弾性運動できる空間を提供するため、前記第一挟持口及び第二挟持口に向かう開口を設けることを特徴とする請求項３に記載のクリップ式接続箱構造。
【請求項７】
前記電接端子は、前記第一導電部及び前記第二導電部のいずれかの表面に、間隔をおいて配列する複数の凹部を設けることを特徴とする請求項２乃至６のいずれかに記載のクリップ式接続箱構造。
【請求項８】
前記ケージングは、その内部に、前記第一挟持口と、前記第二挟持口と、の間にある電線挿入経路最内端に対応するように設置する係止部を設けることを特徴とする請求項２乃至７のいずれかに記載のクリップ式接続箱構造。
【請求項９】
前記係止部は、前記電接端子に対して挟持固定する作用を発生することを特徴とする請求項８に記載のクリップ式接続箱構造。
【請求項１０】
前記第一挿入口及び前記第二挿入口のうちの一つは、前記ケージングに複数並列に設けることを特徴とする請求項１乃至９のいずれかに記載のクリップ式接続箱構造。
【請求項１１】
前記導電挟持枠、前記第一挿入口及び前記第二挿入口は、複数組設けることを特徴とする請求項１０に記載のクリップ式接続箱構造。
【請求項１２】
前記ケージングは、先端部と、前記先端部と相反する後端部と、前記先端部と前記後端部との間に位置する二つの側面部と、を有し、前記第一挟持口は、前記先端部に設け、前記第二挟持口は、前記側面部に設け、前記ケージングは、内部に前記先端部と前記後端部との間を貫通する導引スロットと、前記導引スロットに滑動的に設けるボタンと、前記ボタンの移動と共に、各前記導電挟持枠を当接及び脱離する導電素子と、を設けることを特徴とする請求項１乃至１１のいずれかに記載のクリップ式接続箱構造。
【請求項１３】
前記導引スロットと、ボタンと、の間には、前記ボタンが前記導電素子を携えて、各導電挟持枠に対して発生する当接或いは脱離を駆動することができる少なくとも一つの弾性部を設けることを特徴とする請求項１２に記載のクリップ式接続箱構造。
【請求項１４】
前記第一導電部と、前記第二導電部と、の間の狭角は、９０度以下であって、前記第一導電部から遠離する前記第二導電部の一端に導電当接部を設け、前記第二導電部と、前記当接部と、の間の狭角は、９０度以下であって、前記第一導電部と、前記第二導電部と、の間の狭角が向く方向は、前記第二導電部と、前記当接部と、の間の狭角が向く方向とは逆方向であることを特徴とする請求項２乃至９のいずれかに記載のクリップ式接続箱構造。
【請求項１５】
前記当接部は、前記第一導電部に向かって曲折することで、前記第二導電部に向かう狭角を形成することを特徴とする請求項１４に記載のクリップ式接続箱構造。
【考案の詳細な説明】
【技術分野】
【０００１】
本考案は、電子或いは電機システム設備の回路上に対して電線をつなぐための接続箱構造であって、特に多方向から電線を挿入および素早く挟持できるクリップ式接続箱構造を提供している。
【０００２】
回路の接続箱は、複数の電線を接続するために用いる電子パーツであり、電子及び電機の領域における回路システムと設備に応用され、主に電子及び電機システム設備の操作パネル或いは配電箱パネルの内部に取り付けられ、電子及び電器システム設備の配線回路を接続するのに用いるものである。
【０００３】
従来の接続箱は通常、外壁に挿入口を設け、前記接続箱内部に接電端子を有し、且つ前記接電端子は、前記挿入口に向かって貫通しており、並びに前記接電端子上にネジと座金を固定している。使用時は、前記電線或いは前記電線の端子を前記挿入口に挿入し、並びに前記ネジによって前記接電端子上に前記電線或いは電線の端子を固定することができる。この類の接続箱の多くはスイッチ式接続箱の形態であり、接続箱が二組の前記挿入口及び前記接電端子を設置し、前記電線をそれぞれに挿入することができ、二つの前記接電端子間にボタン及び導電素子を設けている。前記ボタンが押圧される際、前記導電素子を駆動し、同時に各前記接電端子を取り付け或いは取り外しすることで、二つの前記電線の通電或いは停電を操作することができ、配線を開閉することで、回路における電源の作用を具備している。
【０００４】
従来の接続箱は各前記接電端子セットは、単一の挿入口のみを有しており、更に、接続箱はすべて電子或いは電機システム設備の狭い空間に設けられるため、接続箱の挿入口が容易に設備内部にある他の構造或いは設備内壁面に接触し、前記電線の挿入接続が困難な状況になっている。その他に、前述した電子或いは電機システム設備の狭い空間内は、ドライバーを使用するのに不便であり、ネジ締めによる固定或いは前記ネジ、前記座金の取り外しが正確にできず、操作が困難且つ遅くなってしまう。さらに、従来の接続箱は前記ネジに前記座金を組合わせて前記電線を固定する方法を利用していたが、環境の震動により前記ネジが容易に緩み、前記電線が接触不良或いは脱離し、電子回路が短絡する状況を導いてしまう。
【考案の概要】
【考案が解決しようとする課題】
【０００５】
本考案の主要の目的は、従来の接続箱にある前記挿入口が設備内部のその他構造或いは設備内壁面と容易に接触するため、前記電線の挿入を困難であった点を克服し、とりわけ多方向から前記電線を速やかに挿入及び挟持固定できる電線クリップ式接続箱構造を提供することにある。同時に、従来の接続箱における前記電線固定に用いる前記ネジが、電子及び電機システム設備の狭い空間において操作が困難且つ遅くなってしまい、更には環境による震動により前記ネジが緩み脱離し、前記電線の接触不良或いは脱離する問題を克服している。
【課題を解決するための手段】
【０００６】
上述の目的を達成するため、本考案のクリップ式接続箱はケージングを包含し、前記ケージング内部に少なくとも一つの導電挟持枠を設け、前記ケージング上に、異なる挿入方向の第一挿入口及び第二挿入口を設け、前記導電挟持枠は、前記第一挿入口に向かう第一挟持口と、前記第二挿入口に向かう第二挟持口と、をそれぞれ設けている。
【０００７】
上述より、使用時は、前記電線を前記第一挿入口と、前記第二挿入口と、のいずれか、或いはそれぞれに挿入することができ、電子或いは電機システム設備の狭い空間内に多様な電線挿入方向の選択を提供することができる。その他に、本考案は、従来の接線方式を改善したものであって、前記導電挟持枠は、弾性挟持方法により前記電線を固定し、前記導電挟持枠の前記第一挿入口と、前記第二挿入口と、から速やかに前記電線を固定及び抜去することができ、ドライバー等の工具を使用して前記ネジを回転させる必要がなく、操作を簡易に迅速に行える。更には、弾性挟持による前記電線の固定方式は、明らかに環境による震動で前記電線の接触不良或いは脱離する確率を低減している。同時に、従来のネジ締め構造を省略し、更に簡易で精密な構造であるため生産コストを大幅に低減することができる。
【０００８】
上述の主要構造に基づき、前記ケージング内は、前記導電挟持枠を収容し、且つ、前記第一挿入口と、前記第二挿入口と、を連通する、収容空間を設け、前記導電挟持枠は、電接端子及び弾性プレートを包含しており、前記電接端子は、前記第一挿入口に向かって延伸する第一導電部と、前記第二挿入口に向かって延伸する第二導電部と、をそれぞれ設け、前記弾性プレートは、前記第一導電部と、前記第二導電部と、の間に設けられ、前記第一挿入口に対応し且つ前記第一導電部を弾性当接する第一挟持部と、前記第二挿入口に対応し且つ前記第二導電部を弾性当接する第二挟持部と、を兼ね備え、前記第一挟持口は、前記第一挟持部と、前記第一導電部と、の間に形成し、前記第二挟持口は、前記第二挟持部と、前記第二導電部と、の間に形成されている。
前記電線が前記第一挟持口或いは前記第二挟持口に挟持される際、ドライバー等の工具或いは、細長い物体を前記第一挿入口あるいは前記第二挿入口から前記ケージング内部に挿入することができ、前記第一挟持部或いは前記第二挟持部を当接し、弾性運動させることで、前記第一挟持口或いは第二挟持口を開放し、前記電線を前記第一挿入口或いは前記第二挿入口から抜去することができる。
【０００９】
上述の構造に基づき、前記第一挿入口及び前記第二挿入口の少なくとも一方の側に、前記弾性プレートにある前記第一挟持部及び前記第二挟持部に向かうを少なくとも一つの通孔を設けている。
これにより、前記電線が前記第一挟持口或いは前記第二挟持口に挟持される際、ドライバー等の工具或いは細長い物体を前記通孔から前記ケージング内部に挿入することで、前記第一挟持部或いは前記第二挟持部を当接し、弾性運動させることで、前記第一挟持口或いは前記第二挟持口を開放し、前記電線を前記第一挿入口或いは前記第二挿入口から抜去することができる。
【００１０】
上述に主要構造に基づき、前記第一挟持部は、前記第一挿入口から前記第一導電部に延伸し、前記第二挟持部は、前記第二挿入口から前記第二導電部に延伸している。
【００１１】
上述の主要構造に基づき、前記ケージング内部は、前記弾性プレートを挟持固定できる弾性プレート係止部を設け、前記弾性プレート係止部は、前記第一挟持部と前記第二挟持部とが、弾性運動できる空間を提供するため、前記第一挟持口及び第二挟持口に向かう開口を設けている。
【００１２】
上述の主要構造に基づき、前記電接端子は、前記第一導電部及び前記第二導電部のいずれかの表面に、間隔をおいて配列する複数の凹部を設けている。前記第一導電部と、前記第二導電部と、によって前記凹部と、前記電線と、が干渉作用を起こし、前記電線を前記第一挟持口と前記第二挟持口に挟持し、安固することができる。
【００１３】
上述の主要構造に基づき、前記ケージング内部は、係止部を設けており、前記係止部は前記第一挟持口と、前記第二挟持口と、の間に対応する電線挿入経路最内端に設けられており、前記接電端子に対して挟持固定する作用を生み出している。
【００１４】
上述の主要構造に基づき、前記第一挿入口及び前記第二挿入口のうちの一つは、前記ケージング上に複数並列に設けている。これにより、各電線挿入できる方向は、全て多数の電線を接続することができ、実用効果を上昇させることができる。
【００１５】
上述の主要構造に基づき、前記導電挟持枠、前記第一挿入口及び前記第二挿入口は、複数組設けている。
【００１６】
上述の主要構造に基づき、前記ケージングは、先端部と、前記先端部と相反する後端部と、前記先端部と前記後端部との間に位置する二つの側面部と、を有しており、前記第一挟持口は、前記先端部に設け、前記第二挟持口は、前記側面部に設け、前記ケージング内部には、前記先端部と前記後端部との間を貫通する導引スロットと、前記導引スロット内に滑動的に設けるボタンと、更に、前記ボタンの移動と共に、同時に各前記導電挟持枠を当接及び脱離する導電素子と、を設けている。前記導引スロットと、前記ボタンと、の間には前記ボタンが前記導電素子を携えて、各前記導電挟持枠に対して発生する当接或いは脱離を駆動することができる少なくとも一つの弾性部を設けている
【００１７】
上述の主要構造に基づき、前記第一導電部と前記第二導電部との間の挟角は、９０度以下であって、前記第一導電部から遠離した前記第二導電部の一端は、導電当接部が設けてあり、前記第二導電部と前記当接部との間の挟角は９０度以下であって、前記第一導電部と前記第二導電部との間の挟角の向く方向は、前記第二度導電部と前記当接部との間の挟角の向く方向と逆方向である。前記当接部は、前記第一導電部方向に向かって曲折することで、前記第二導電部方向に向かって曲折する挟角を形成している。
【図面の簡単な説明】
【００１８】
【図１】本考案に係る好ましい実施例の立体図である。
【図２】図1における実施例の立体分解図である。
【図３】図２における更に分解した実施例の立体図である。
【図４】図１における好ましい実施例の解剖図である。
【図５】図４における使用状態解剖図である。
【図６】図１における係る好ましい実施例を実施した立体図である。
【図７】図６における好ましい実施例の立体分解図である。
【考案を実施するための形態】
【００１９】
図1乃至図４を参照すると、本考案に係る実施例を開示しいている。本考案はケージング１を包括し、前記ケージング１内部に少なくとも一つの導電挟持枠２を設け、さらに前記ケージング１上に異なる挿入方向（例えば一つは縦、一つは横）の第一挿入口１１及び第二挿入口１２を設け、前記導電挟持枠２は、第一挟持口２１及び第二挟持口２２を設け、前記第一挟持口２１は、前記第一挿入口１１に向かい、且つ、前記第二挟持口２２は、前記第二挿入口１２に向かっている。図中に開示されている前記ケージング１は、先端部１３と、前記先端部１３と相反する後端部１４と、前記先端部１３と前記後端部１４との間に位置する二つの側面部１５、１６と、を具備しており、前記第一挟持口２１は、前記先端部１３に設けることができ、且つ前記第二挟持口２２は、前記側面部１５、１６に設けることができる。前記側面部１５、１６は、前記後端部１４方向に向かって延伸するフック部１７をそれぞれ設けており、前記ケージング１は、前記フック部１７が生み出す組合せを介して固定する作用をしている。
【００２０】
図２乃至図４を参照すると、更に具体的な実施例を開示している。
前記ケージング１は、内部に収容空間１０を設け、、前記収容空間１０は、前記第一挿入口１１と、前記第二挿入口１２と、に向かって連通し、且つ、前記導電挟持枠２を前記収容空間１０内部に収納することができる。前記導電挟持枠２は、曲折状態を呈している電接端子２３及び弾性プレート２４と、を包含している。前記電接端子２３の両端は、プレート状である第一導電部２３１と、第二導電部２３２と、をそれぞれ設け、前記第一導電部２３１は、前記第一挿入口１１に向かって延伸し、且つ前記第二導電部２３２は、前記第二挿入口１２に向かって延伸している。
【００２１】
前記弾性プレート２４は、前記第一導電部２３１と、前記第二導電部２３２と、の間に位置し、前記弾性プレート２４の両端は、プレート状を呈している第一挟持部２４１と、第二挟持部２４２と、をそれぞれ設け、前記第一挟持部２４１は、前記第一挿入口１１から前記第一導電部２３１に向かって延伸し、前記第一挟持部２４１の中段部は、前記第一挿入口１１に対応する箇所に位置し、且つ前記第一挟持部２４１の末端が前記第一導電部２３１を弾性当接している。
前記第二挟持部２４２は、前記第二挿入口１２から前記第二導電部２３２に向かって延伸し、前記第二挟持部２４２の中段部は、前記第二挿入口１２に対応する箇所に位置し、且つ前記第二挟持部２４２の末端が前記第二導電部２３２を弾性当接している。
前記第一挟持口２１は、前記第一挟持部２４１と、前記第一導電部２３１と、の間に形成され、前記第二挟持口２２は、前記第二挟持部２４２と、前記第二導電部２３２と、の間に形成されている。
【００２２】
前記ケージング１にある前記収容空間１０内は、前記電接端子２３を挟持固定できる係止部７及び前記弾性プレート２４を挟持固定できる弾性プレート係止部８を有し、前記係止部７は、前記第一挟持口２１と、前記第二挟持口２２と、の間に対応する電線挿入経路最内端に設けることができ、且つ、前記電接端子２３は、前記係止部７と、前記ケージング１の内壁と、の間に嵌合し、固定している。
前記弾性プレート係止部８は、前記第一挿入口１１と前記第二挿入口１２との間に位置し、前記弾性プレート２４は、前記弾性プレート係止部８と、前記ケージング１内壁と、の間に嵌合し、固定され、且つ前記弾性プレート係止部８は、前記第一挟持口２１及び前記第二挟持口２２に向かって設ける開口８１を有し、前記第一挟持部２４１と、前記第二挟持部２４２と、に弾性運動できる空間を提供している。
【００２３】
前記第一挿入口１１の側に、前記第一挟持部２４１向かう通孔１８、或いは、前記第二挿入口１２の側に、前記第二挟持部２４２に向かう通孔１８を設けている。本考案に係る実施例では、前記第一挿入口１１の近側に、前記通孔１８を設けており、更に第二挿入口１２の口径を広げている。
【００２４】
使用時に電線６或いは前記電線６の端子は、前記第一挿入口１１或いは前記第二挿入口１２のいずれかを選択し、挿入することで設置でき、更には、前記第一挿入口１１と、前記第二挿入口１２と、に前記電線６をそれぞれ挿入設置することもできる。
前記電線６が、前記第一挿入口１１を介して前記第一挟持口２１に挿入される際、前記電線６の先端は、前記第一挟持部２４１を当接でき、前記第一挟持部２４１を弾性湾曲させ、前記第一挟持口２１を弾性運動によって開放することができ、前記電線６が、前記第一挟持口２１に向かって延伸する際、前記第一挟持部２４１は、前記第一導電部２３１に向かって弾性運動をしても元の位置に反復でき、前記電線６を当接することで前記第一導電部２３１表面に寄り添い、前記第一挟持部２４１と、前記第一導電部２３１と、は共に前記電線６を前記第一挟持口２１内部に挟持固定している。同様に、前記第二挟持部２４２と、前記第二導電部２３２と、は共に前記電線６を前記第二挟持口２２内部に挟持固定することができる。
その際、前記係止部７にある同一角の２つの側面は、それぞれ前記第一挟持口２１及び／或いは前記第二挟持口２２から挿入される前記電線６の先端部を係止することができ、前記係止部７は、前記第一挟持口２１及び前記第二挟持口２２に挿入される前記電線６の間から隔離し、前記電線６が干渉或いは相互に当接する作用をしている。
【００２５】
更に説明を必要とするのは、前記ケージング１が、上述の電子或いは電機システム設備の狭い空間中に設けられ、更には前記ケージング１の前記第一挿入口１１或いは前記第二挿入口１２が隣接する設備内部にあるその他の構造或いは設備内壁面に当接する場合、前記第一挿入口１１と、前記第二挿入口１２と、は前記ケージング１の挿入方向と異なる方向に設置され、これにより、容易に前記第一挿入口１１或いは前記第二挿入口１２の少なくとも一つが、隣接する設備内部その他の構造或いは設備内壁面の方向を調整することができる。これより、電子或いは電機システム設備の狭い空間内に、前記電線６を挿入する方向を多くから選択でき、前記電線６が接続箱の挿入口内に接続し易くなっている。
【００２６】
その他に、本考案に係る好ましい実施例として、前記導電挟持枠２は、弾性挟持方式を採用し、前記電線６を固定することで、前記導電挟持枠２にある前記第一挟持口２１と、前記第二挟持口２２と、を介し、前記電線６を素早く挟持固定及び抜去することができ、ドライバー等の工具を用いて対象をネジの締め付けをする必要がなくなり、操作が簡易で迅速になっている。
【００２７】
図５を参照すると、前記第一挟持口２１に挟持されている前記電線６を抜去したい場合、ドライバー等の工具或いは細長い物体を用いて前記通孔１８から前記ケージング１内部に差し込む事ができ、前記第一挟持部２４１を押圧することで弾性運動させ、前記電線６を前記第一挿入口１１から抜去することができる。
前記第二挟持口２２に挟持されている前記電線６を抜去したい場合も、ドライバー等の工具或いは細長い物体を用いて口径の大きい前記第二挿入口１２から前記ケージング１内部に差し込む事ができ、前記第二挟持部２４２を押圧することで弾性運動させ、前記電線６を前記第二挿入口１２から抜去することができ、操作が素早く簡易にできる。
【００２８】
以上より分かることは、本考案は、前記導電挟持枠２の弾性挟持を用いることで前記電線６を固定し、さらに振動を緩衝できる収縮弾性を具備しており、前記電線６が振動する環境下において、接触不良或いは脱離する状況を明らかに低減している。同時に、従来のネジ締め構造において、複雑だった構造を省略し、生産コストを大幅に低減している。
【００２９】
さらに好ましい実施例として、前記電接端子２３は、前記第一導電部２３１及び／或いは前記第二導電部２３２の表面に多数の隔離し、配列した凹部２５を設けている。これにより、前記第一導電部２３１と、前記第二導電部２３２と、は、前記凹部２５と、前記電線６と、を介して干渉作用を発生し、前記電線６を前記第一挟持口２１と、前記第二挟持口２２と、に挟持固定し、更に前記電線６を挟持する安固性を上昇させることができる。
【００３０】
もう一つの実施例において、前記電接端子２３と、前記弾性プレート２４と、前記第一挿入口１１及び前記第二挿入口１２と、は複数組設置することができ、それぞれ前記ケージング１内部の左右両辺に設けられ、前記ケージング１内は、前記先端部１３と前記後端部１４との間に貫通する導引スロット１９を設け、前記導引スロット１９内には可動なボタン３を設け、前記ボタン３に合わせて移動する導電素子４と、且つ前記導電素子４は、前記ボタン３からの駆動と同時に前記導電挟持枠２にある前記接電端子２３を当接及び離脱することができ、各前記導電挟持枠２を介して、前記導電素子４を互いに導電している。
【００３１】
実施例において、前記導引スロット１９は、二組の前記導電挟持枠２の間に隔離され、前記導引スロット１９と前記ボタン３との間には、少なくとも一つの弾性部５を設け、前記弾性部５は、バネとすることができ、且つ前記弾性部５は、前記ボタン３が前記導電素子４を携え、同時に前記各導電挟持枠２にある前記電接端子２３を当接及び離脱し、駆動することができる。前記第一導電部２３１と前記第二導電部２３２との間の狭角は９０度より小さく、前記第二導電部２３２において、前記第一導電部２３１から離離する一端に前記後端部１４の方向に向かって曲折するように延伸して導電用の当接部２３３を形成し、前記第二導電部２３２と前記当接部２３３との間の狭角は９０度より小さく、前記第一導電部２３１と前記第二導電部２３２との間の狭角は、前記第二導電部２３２と前記当接部２３３との間の狭角と相反しており、前記当接部２３３は、前記導電素子４の移動経路上に位置し、且つ前記当接部２３３は、更に前記第一導電部２３１に向かって曲折し、前記当接部２３３の中段部は、前記第二導電部２３２に向かって曲折し、挟角を形成している。
【００３２】
以上より、本考案に係る接続箱構造は、スイッチ型接続箱の形態を模しており、並びに前記第一導電部２３１と、前記第二導電部２３２と、が前記当接部２３３との間にある狭角が変化することで、前記ケージング１は、各方向から挿入される前記電線６同士が干渉を避けることができ、更に精密で簡易な前記電接端子２３の構造及び設置空間ができる。
その他にも、前記電接端子２３の前記第一導電部２３１と、前記第二導電部２３２と、が、前記当接部２３３と、単一の導電金属曲折と、により形成され、または、複数の導電金属プレートを組み合わせて形成している。前記ボタン３が押圧される際、前記導電素子４の両端にある各前記導電挟持枠２の前記当接部２３３を同時に当接或いは脱離することで、各前記電線６に係る通電或いは停電を操作することができ、スイッチングにより回路の電源の作用を具備している。
【００３３】
図６及び図７を参照すると、実施例の修正において、前記第一挿入口１１、１１０及び／或いは前記第二挿入口１２、１２０は、前記ケージング１上に複数並列に設置することができ、前記弾性プレート２４０も複数並列に設けることができ、前記第一挿入口１１，１１０は、前記第一挟持口２１を共用し、且つ前記第二挿入口１２，１２０は、前記第二挟持口２２を共用している。これよりすべての前記電線６の挿入方向は、すべて前記電線６の挿入を受け入れることができ、これにより実用効果が上昇している。
【００３４】
また、本考案に提示している例は、実施例に過ぎず、これに限るものではない。本考案の掲示する精神のもと完成された同じ効果を有する修飾、或いは置換も本考案に請求範囲に含まれている。
【符号の説明】
【００３５】
１                ケージング
１０              収容空間
１１、１１０      第一挿入口
１２、１２０      第二挿入口
１３              前端部
１４              後端部
１５、１６        側面部
１７              フック部
１８              通孔
１９              導引スロット
２                導電挟持枠
２１              第一挟持口
２２              第二挟持口
２３              電接端子
２３１            第一導電部
２３２            第二導電部
２３３            当接部
２４、２４０      弾性プレート
２４１            第一挟持部
２４２            第二挟持部
２５              凹部
３                ボタン
４                導電素子
５                弾性部
６                電線
７                係止部
８                弾性プレート係止部
８１              開口
【図１】
0003203970.tif 000003
【図２】
0003203970.tif 000004
【図３】
0003203970.tif 000005
【図４】
0003203970.tif 000006
【図５】
0003203970.tif 000007
【図６】
0003203970.tif 000008
【図７】
0003203970.tif 000009